(57)【要約】【課題】    救命胴衣を着用した時に複数の浮力体が体の形状に合わせて容易に動くと共に、隣り合う浮力体同士がずれにくい救命胴衣を提供すること。【解決手段】  救命胴衣１は、右前身頃２と左前身頃３と後身頃４を有し、後身頃４は袋状の収納部Ｓが形成されて複数の浮力体Ｆが並列して内包されている。複数の浮力体Ｆの隣りの浮力体と対向する端面Ｔは平面状で互いに平行状に形成され外側から内側になるにつれて本体１の左右両側から中央側に向かうように傾斜して形成され、複数の浮力体Ｆは、隣りの浮力体と対向する端面Ｔに沿って誘導されてスライド移動する。【選択図】        図３
2009208519.tif 000002
【特許請求の範囲】
【請求項１】
本体の少なくとも後身頃に複数の浮力体を並列して内包した救命胴衣において、前記並列した浮力体の端面が互いに対向する傾斜面で形成されていることを特徴とする救命胴衣。
【請求項２】
浮力体の傾斜面は外側から内側になるにつれて本体の左右両側から中央側に向かうように形成されていることを特徴とする請求項１に記載の救命胴衣。
【発明の詳細な説明】
【技術分野】
【０００１】
本発明は、後身頃に複数の浮力体を並列して内包した救命胴衣に関する。
【背景技術】
【０００２】
従来から船釣りや磯釣りを行う時には海難防止のためフローティングベストやフローティングジャケットなどの浮力体を有する救命胴衣を着用することが慣例化している。
【０００３】
これら救命胴衣は、前身頃や後身頃に浮力体が内包されているが、救命胴衣を着用した時に着心地を損ねないように複数の浮力体に分割して収納さることがある。
【０００４】
しかしながら、従来の救命胴衣は、１枚の平板状の浮力体を真っ直ぐブロック状に切断しているため互いの端面が平板状の浮力体の外側面、内側面に対し垂直に形成され、救命胴衣を着用した時に浮力体が体の形状に適合しにくく、また、隣り合う浮力体同士がずれてしまうと戻りにくくなることがあった。
【特許文献１】特開２００６−１７６９２５号公報
【発明の開示】
【発明が解決しようとする課題】
【０００５】
解決しようとする課題は、従来の救命胴衣は、着用した時に浮力体が体の形状に適合して湾曲しにくく、また、隣り合う浮力体同士がずれてしまうことである。
【０００６】
本発明の目的は前記欠点に鑑み、救命胴衣を着用した時に浮力体が体の形状に合わせて容易に動き、隣り合う浮力体同士がずれにくい救命胴衣を提供することである。
【課題を解決するための手段】
【０００７】
上記課題を解決するために、
請求項１に係わる本発明は、本体の少なくとも後身頃に複数の浮力体を並列して内包した救命胴衣において、前記並列した浮力体の端面が互いに対向する傾斜面で形成されていることを要旨とするものである。
請求項２に係わる本発明は、浮力体の傾斜面は外側から内側になるにつれて本体の左右両端側から中央側に向かうように形成されていることを要旨とするものである。
【発明の効果】
【０００８】
本発明によると、救命胴衣を着用した時に浮力体が隣の浮力体の傾斜面で形成された端面に誘導されて移動するため浮力体のが容易に移動し、隣り合う浮力体同士がずれにくい。
【発明を実施するための最良の形態】
【０００９】
以下、本発明の実施形態を図面に基づき説明すると、図１は救命胴衣の正面図、図２は救命胴衣の背面図、図３は救命胴衣の横断面図（Ｂ−Ｂ断面図）、図４は救命胴衣を身に付けた状態の横断面図、図５は救命胴衣の変形例の横断面図である。
【００１０】
本願を図１から図４で説明すると、救命胴衣Ｋの本体１は、右前身頃２と左前身頃３と後身頃４を有し、本体１の前側の正面上部の前あき部７から顔が出せるようになっている。
右前身頃２と左前身頃３は正面側の合わせ部Ａが開閉可能で、合わせ部Ａに沿ってチャックで形成した止着部Ａ１が設けられ、チャックのスライダーＡ２を操作して開閉できるようになっている。
【００１１】
右前身頃２、左前身頃３と後身頃４は、それぞれ左右両側の合わせ部Ｅを介して脇下部で接合され、左右側面の上方側に腕挿通口５ａ、５ｂが形成され、救命胴衣Ｋを身につけたとき腕を挿通して手を出すことが出来るようになっている。
【００１２】
右前身頃２、左前身頃３はそれぞれ正面側にポケット２ａ、３ａを有し必要なものが収納できるようになっており、後身頃４は背部を覆うようになっている。
【００１３】
右前身頃２、左前身頃３と後身頃４は、ナイロン等の合成樹脂繊維の織布で形成した表地Ｏと裏地Ｕを有し、袋状の収納部Ｓが形成されてこの収納部Ｓ内の表地Ｏと裏地Ｕの間には発泡合成樹脂の板状体で形成した浮力体Ｆが内包され、救命胴衣１を着て落水したときに浮くようになっている。
【００１４】
救命胴衣１の右前身頃２、左前身頃３にはそれぞれ１枚の発泡合成樹脂の板状体で形成した浮力体Ｆが収納され、後身頃４の収納部Ｓには図２から図４に示すように複数の浮力体Ｆ１、Ｆ２、Ｆ３、Ｆ４、Ｆ５が内包されている。
【００１５】
後身頃４の収納部に内包した複数の浮力体Ｆ１、Ｆ２、Ｆ３、Ｆ４、Ｆ５は、前面と後面が平面状に形成された１枚の発泡合成樹脂の板状体を縦長になるように切断し、後身頃４の収納部Ｓに上下を長手方向にして左右に間隙を設けて並列して収納されている。
【００１６】
この浮力体Ｆ１、Ｆ２、Ｆ３、Ｆ４、Ｆ５を形成する時に前面と後面に対し傾斜方向に切断して、浮力体Ｆ１、Ｆ２、Ｆ３、Ｆ４、Ｆ５は隣りの浮力体Ｆ同士の対向する端面Ｔは平面状で互いに平行状に形成され外側（表地Ｏ側）から内側（裏地Ｕ側）になるにつれて本体１の左右両側から中央側に向かうように傾斜する傾斜面で形成されている。
なお、後身頃４の収納部に内包した浮力体Ｆの中央側は一点鎖線Ｃで示した並列した複数の浮力体Ｆ１、Ｆ２、Ｆ３、Ｆ４、Ｆ５の左右長さの中央側とする。
【００１７】
したがって、後身頃４は浮力体Ｆが分割された間隙に沿って容易に折り曲げられるようになっており、図４のように救命胴衣１を身に付けた時に、その体Ｈの周囲の湾曲形状に合わせて湾曲させることができる。
この時、後身頃４に内包した浮力体Ｆは、中央側の浮力体Ｆ３が体Ｈの背部の中央に当たってその左右両側の浮力体Ｆ１、Ｆ２、Ｆ４、Ｆ５が隣り合う浮力体同士で対向する端面Ｔに沿って誘導されてスライドし、体Ｈ（または中心部Ｇ）に対し近づいたり遠ざかったりして移動することができる。
なお、体Ｈ側の前方側（右前身頃２、左前身頃３側）に移動すると複数の浮力体Ｆ１、Ｆ２、Ｆ４、Ｆ５は湾曲状に配し並列される。
【００１８】
このように分割して設けた浮力体Ｆ１、Ｆ２、Ｆ４、Ｆ５が隣り合う浮力体同士で対向する端面Ｔに沿って誘導されてスライドするように前方側に移動するため外側（表地Ｏ）から内側（裏地Ｕ）に対し収納部Ｓ内であまり回動しないため容易に体Ｈの湾曲に合致して配列され、後身頃４が容易に湾曲状になる。
しかも、浮力体Ｆ１、Ｆ２、Ｆ３、Ｆ４、Ｆ５の間隙はあまり広がらず、救命胴衣１を脱ぐと、図３のように後身頃４が平面状になり浮力体Ｆ１、Ｆ２、Ｆ３、Ｆ４、Ｆ５がこれに従って平らに配された並列状態に戻る。
【００１９】
このように後身頃４の湾曲に従って浮力体Ｆ１、Ｆ２、Ｆ３、Ｆ４、Ｆ５が動いても隣り合う浮力体Ｆ同士で対向する端面Ｔが対向状に配されているため、端面Ｔ同士が当接したり、または、支持し合うため浮力体Ｆ１、Ｆ２、Ｆ３、Ｆ４、Ｆ５に端面Ｔ同士がずれてしまうことが防止され、また、隣り合う浮力体Ｆ同士が内側、外側にずれて重なってしまうことが防止されている。
なお、少なくとも後身頃４に内包した浮力体Ｆを分割して複数の浮力体Ｆを並列して設けたが、右前身頃２や左前身頃３に内包した浮力体Ｆを分割して複数の浮力体Ｆを並列して設けてもよい。
【００２０】
また、図５は、救命胴衣１の変形例の横断面図で、上記例では後身頃４に内包した複数の浮力体Ｆは１室に形成した収納部Ｓに収納したが、図５では、収納部Ｓに仕切体４ａを設けて複数の浮力体Ｆごとに収納部Ｓを分割しそれぞれ浮力体Ｆ１、Ｆ２、Ｆ３、Ｆ４、Ｆ５を仕切体４ａで仕切って収納している。
仕切体４ａは浮力体Ｆ１、Ｆ２、Ｆ３、Ｆ４、Ｆ５の端面Ｔの傾斜方向に沿って、収納部Ｓを斜め方向に横切って設けられている。
【００２１】
このように救命胴衣１を形成すると、浮力体Ｆ１、Ｆ２、Ｆ３、Ｆ４、Ｆ５は後身頃４の湾曲に従って動いても端面Ｔ同士が仕切体４ａを介して支持し合って移動方向が誘導されるため移動がスムーズで、仕切体４ａによって隣り合う浮力体Ｆ同士が内側、外側に重なってしまうことがより確実に防止される。
その他の構成は、図１から図４に示す実施例と同じである。
【００２２】
なお、本願は、救命胴衣１をフローティングベストで説明したが、同様にフローティングジャケットなどに実施してもよい。
【産業上の利用可能性】
【００２３】
本発明は、救命胴衣全般に利用できる。
【図面の簡単な説明】
【００２４】
【図１】図１は、救命胴衣の正面図である。
【図２】図２は、救命胴衣の背面図である。
【図３】図３は、救命胴衣の横断面図（Ｂ−Ｂ断面図）である。
【図４】図４は、救命胴衣を身に付けた状態の横断面図である。
【図５】図５は、救命胴衣を身に付けた状態の横断面図である。
【符号の説明】
【００２５】
Ｋ    救命胴衣
１    本体
２    右前身頃
３    左前身頃
４    後身頃
Ｆ    浮力体
Ｔ    端面
【図１】
2009208519.tif 000003
【図２】
2009208519.tif 000004
【図３】
2009208519.tif 000005
【図４】
2009208519.tif 000006
【図５】
2009208519.tif 000007